(57)【要約】  麻痺した体の部位を有する患者にリハビリを施すための装置であって、a）麻痺した体の部位と同種の健康な体の部位の随意筋に適用されるように適合され、少なくとも１つのセンサが少なくとも１つのＥＭＧ信号を生成する、少なくとも１つの筋電図検査法（ＥＭＧ）センサと、b）麻痺した体の部位の少なくとも１つの随意筋を刺激するために適合された神経筋電気刺激（ＮＭＥＳ）装置と、c）健康な体の部位からのＥＭＧ信号に少なくとも部分的に依存する麻痺した体の部位の刺激の強度を生成して、ＮＭＥＳを制御するコントローラと、を含む装置。
2007520308.tif 000002
【特許請求の範囲】
【請求項１】
麻痺した体の部位を有する患者にリハビリを施すための装置であって、
a）麻痺した体の部位と同種の健康な体の部位の随意筋に適用されるように適合され、少なくとも１つのセンサが少なくとも１つのＥＭＧ信号を生成する、少なくとも１つの筋電図検査法（ＥＭＧ）センサと、
b）麻痺した体の部位の少なくとも１つの随意筋を刺激するために適合された神経筋電気刺激（ＮＭＥＳ）装置と、
c）前記ＮＭＥＳ刺激がそれ自体でコントローラにより期待される動作で前記麻痺した体の部位を動作させるのに十分でないように健康な体の部位からのＥＭＧ信号に少なくとも部分的に依存する麻痺した体の部位の刺激の強度を生成して、ＮＭＥＳを制御し且つ麻痺した体の部位の動作を期待するコントローラと、を含む装置。
【請求項２】
健康な体の部位の少なくとも１つの筋肉が、麻痺した体の部位の少なくとも１つの筋肉に対応する、請求項１に記載の装置。
【請求項３】
前記コントローラが、前記ＥＭＧ信号を処理して、前記ＮＭＥＳ信号の少なくとも一つの性質を決定するように構成されている、請求項１に記載の装置。
【請求項４】
コントローラは、ＮＭＥＳにより麻痺した体の部位を刺激させ、ＥＭＧ信号の感知時に健康な体の部位が生成する動作に対応する動作を作り出すように構成されている、請求項２に記載の装置。
【請求項５】
コントローラは、健康な体の部位の対応する筋肉からのＥＭＧ信号が健康な体の部位の動作中における対応する時間において増加するとき、麻痺した体の部位の少なくとも１つの筋肉の少なくとも１つの刺激の強度を増加させるように構成されている、請求項４に記載の装置。
【請求項６】
麻痺した体の部位の少なくとも一つの筋肉が筋肉の拮抗対を含み、コントローラは、筋肉の拮抗対の一方の筋肉に対応する健康な体の部位における筋肉からのＥＭＧ信号が健康な体の部位の動作中における対応する時間において増加するとき、筋肉の拮抗対のうちの他方の筋肉の刺激の強度を減少させるように構成されている、請求項４または請求項５に記載の装置。
【請求項７】
コントローラとＮＭＥＳ装置のうち１つ又は双方は、自身で麻痺した体の部位を動かすことができない少なくとも何人かの患者に対しては、刺激強度が、患者の脳からの神経刺激がない場合には刺激された筋肉を収縮させるのに不十分となるように、しかし患者の脳からの神経刺激がある場合にはその筋肉を収縮させるのに十分となるように構成されている前請求項のいずれかに記載の装置。
【請求項８】
少なくとも１つのＥＭＧセンサは、複数のＥＭＧセンサを含んでおり、各ＥＭＧセンサは健康な体の部位の異なる筋肉または筋肉の部分に適用されるために適合されている、前請求項のいずれかに記載の装置。
【請求項９】
各ＥＭＧセンサは別々のＥＭＧ信号を生成する、請求項８に記載の装置。
【請求項１０】
ＮＭＥＳ装置が、麻痺した体の部位の複数の筋肉または筋肉の部分に独立して刺激を与えるよう適合されている、請求項９に記載の装置。
【請求項１１】
前記麻痺した体の部位の複数の筋肉または筋肉の部分が、複数のＥＭＧセンサを適合させて適用する健康な体の部位の筋肉または筋肉の部分に対応する、請求項１０に記載の装置。
【請求項１２】
コントローラは、前記麻痺した体の部位の複数の筋肉または筋肉の部分のＮＭＥＳ刺激の強度が、複数のＥＭＧセンサからのＥＭＧ信号に少なくとも部分的に依存するように構成されている、請求項１１に記載の装置。
【請求項１３】
コントローラは、前記複数の筋肉または筋肉の部分の各々のＮＭＥＳ刺激の強度が、対応する筋肉または筋肉の部分からのＥＭＧ信号に少なくとも部分的に依存するように構成されている、請求項１２に記載の装置。
【請求項１４】
麻痺した体の部位が対となっている体の部位である、前請求項のいずれかに記載の装置。
【請求項１５】
麻痺した体の部位が腕である、請求項１４に記載の装置。
【請求項１６】
麻痺した体の部位が足である、請求項１４に記載の装置。
【請求項１７】
健康な体の部位が患者に属している、請求項１４から１６のいずれかに記載の装置。
【請求項１８】
健康な体の部位が違う人間に属している、請求項１４から１６のいずれかに記載の装置。
【請求項１９】
コントローラが、ＥＭＧ信号の処理後の形状に少なくとも部分的に依存する刺激強度を生成する、前請求項のいずれかに記載の装置。
【請求項２０】
ＥＭＧ信号の処理後の形状は、 ＥＭＧ信号のタイミングに合わせて引き延ばされる、請求項１９に記載の装置。
【請求項２１】
ＥＭＧ信号の処理後の形状が、ＥＭＧ信号の発生時に健康な体の部位が経験していた動作の鏡像となる健康な体の部位の動作により生成されるであろうＥＭＧ信号に対応する、請求項１９または請求項２０に記載の装置。
【請求項２２】
ＥＭＧ信号の処理後の形状が、ＥＭＧ信号からの時間遅延である、請求項１９から２１のいずれかに記載の装置。
【請求項２３】
健康な体の部位の位置をモニタする第１の位置検知装置をさらに含む、前請求項のいずれかに記載の装置。
【請求項２４】
健康な体の部位の位置を機械的に変化させる第１のアクチュエータをさらに含む、請求項２３に記載の装置。
【請求項２５】
麻痺した体の部位の位置をモニタする第２の位置検知装置をさらに含む、前請求項のいずれかに記載の装置。
【請求項２６】
前記コントローラの制御に基づいておよび前記期待動作に従って、麻痺した体の部位の位置を機械的に変化させる麻痺アクチュエータを含む、請求項１から２５のいずれかに記載の装置。
【請求項２７】
前記第１のアクチュエータは、完全な支援、部分的な支援、非支援からなるグループから選択される様々なレベルで、前記健康な体の部位の位置を機械的に変化させる、請求項２４に記載の装置。
【請求項２８】
前記第１のアクチュエータは、前記健康な体の部位の動作範囲を制限することによって前記健康な体の部位の位置を機械的に変化させる、請求項２４に記載の装置。
【請求項２９】
前記第２のアクチュエータは、完全な支援、部分的な支援、非支援からなるグループから選択される様々なレベルで、前記麻痺した体の部位の位置を機械的に変化させる、請求項２６に記載の装置。
【請求項３０】
前記第２のアクチュエータは、前記麻痺した体の部位の動作範囲を制限することによって、前記麻痺した体の部位の位置を機械的に変化させる、請求項２６に記載の装置。
【請求項３１】
麻痺した体の部位を有する患者の部類にリハビリを施すために適合された装置であって、麻痺した体の少なくとも一つの随意筋を刺激するよう適合された神経筋電気刺激（ＮＭＥＳ）装置を含み、刺激の強度はそれ自体で前記筋肉を収縮させるほどではないものの、同時に前記部類の患者がその体の部位を動作させようと試みるとき、刺激の強度は前記筋肉を収縮させるのに十分である、装置。
【請求項３２】
麻痺した体の部位の随意筋に適用するために適合される少なくとも１つの麻痺ＥＭＧセンサをさらに含み、少なくとも１つの麻痺ＥＭＧセンサは少なくとも１つの麻痺ＥＭＧ信号を生成する、前請求項のいずれかに記載の装置。
【請求項３３】
コントローラは、少なくとも１つの麻痺ＥＭＧ信号に少なくとも部分的に依存する麻痺した体の部位の刺激の強度を生成する、請求項３２に記載の装置。
【請求項３４】
麻痺した体の部位に適用するために適合された少なくとも１つの麻痺ＥＭＧセンサは、それぞれが麻痺した体の部位の異なる筋肉または筋肉の部分に適用されるように適合された、およびそれぞれが別々の麻痺ＥＭＧ信号を生成する、複数の麻痺ＥＭＧセンサを含む、請求項３３に記載の装置。
【請求項３５】
ＮＭＥＳ装置は、麻痺ＥＭＧ信号センサが適用されるよう適合された麻痺した体の筋肉または筋肉の部分を刺激するために適合されており、コントローラは、それぞれの筋肉または筋肉の部分の刺激の強度をその筋肉または筋肉の部分からの麻痺ＥＭＧ信号に少なくとも部分的に依存させるよう構成されている、請求項３４に記載の装置。
【請求項３６】
麻痺した体の部位を有する患者にリハビリを施す方法であって、
a）患者または他の人間に、麻痺した体の部位と同種の健康な体の部位を動かしてもらい、
b）動かしている間、その健康な体の部位からＥＭＧ信号を検出し、
c）ＮＭＥＳ信号の少なくとも１つの性質を決定するために前記ＥＭＧ信号を処理し、
d）前記処理に応じて、麻痺した体の部位にＮＭＥＳ信号を適用し、および、
e）前記ＮＭＥＳ刺激によって最大限でも部分的に前記麻痺した体の部位を動かすことを含む方法。
【請求項３７】
前記ＮＭＥＳは、前記ＥＭＧ信号に従ったタイミングで適用される、請求項３６に記載の方法。
【請求項３８】
前記ＮＭＥＳは、前記ＥＭＧ信号に従った強度で適用される、請求項３６に記載の方法。
【請求項３９】
また、ＥＭＧ信号を検出中に健康な体の部位を動作させるのと同じ動作パターンで、ＮＭＥＳを適用しながら、患者に麻痺した体の部位を動かすよう試みさせることを含む、請求項３６に記載の方法。
【請求項４０】
ＥＭＧ信号を検出することは、健康な体の部位の複数の筋肉または筋肉の部位からＥＭＧ信号を検出することを含み、ＮＭＥＳを適用することは、健康な体の部位の複数の筋肉または筋肉の部分に対応する麻痺した体の部分の複数の筋肉または筋肉の部分にＮＭＥＳを適用することを含む、請求項３９に記載の方法。
【請求項４１】
麻痺した体の部位の試みられている動作パターンの時間間隔中に麻痺した体の部位のそれぞれの筋肉または筋肉の部分に適用されるＮＭＥＳの強度は、健康な体の部位の動作パターンにおける対応する時間間隔中に、健康な体の部位の対応する筋肉または筋肉の部分から検出されるＥＭＧ信号に少なくとも部分的に依存する、請求項４０に記載の方法。
【請求項４２】
麻痺した体の部位は、アクチュエータの動作によって機械的に提供される、請求項３６から４１のいずれかに記載の方法。
【請求項４３】
前記アクチュエータは、前記検出されたＥＭＧと同期する、請求項４２に記載の方法。
【請求項４４】
前記アクチュエータは、前記適用されるＮＭＥＳと同期する、請求項４２に記載の方法。
【請求項４５】
麻痺した体の部位は、アクチュエータの動作によって機械的に支援される、請求項３６から４４のいずれかに記載の方法。
【請求項４６】
麻痺した体の部位の動作が、アクチュエータによって制限される、請求項３６から４５のいずれかに記載の方法。
【発明の詳細な説明】
【関連出願】
【０００１】
この出願は、その両出願の開示が参照により本明細書に組み込まれる、2004年2月5日出願の米国仮出願No.60/542,022、および2004年4月29日出願の米国仮出願No.60/566,078の119(e)に基づく利益を主張する。また、この出願は、本願と同日に同一出願人により出願された、「Gait Rehabilitation Methods and Apparatuses（歩行リハビリテーションの方法および装置）」、「Rehabilitation with Music（音楽を用いたリハビリテーション）」、「Fine Motor Control Rehabilitation（微細運動制御リハビリテーション）」、「Methods and Apparatuses for Rehabilitation Exercise and Training（リハビリテーション運動およびトレーニングのための方法および装置）」、「Methods and Apparatus for Rehabilitation and Training（リハビリテーションおよびトレーニングのための方法および装置）」、「Methods and Apparatus for Rehabilitation and Training（リハビリテーションおよびトレーニングのための方法および装置）」、「Methods and Apparatus for Rehabilitation and Training（リハビリテーションおよびトレーニングのための方法および装置）」と題され、代理人整理番号がそれぞれ414/04391、414/04396、414/04401、414/04388、414/04213、414/04404、および414/04405である、ＰＣＴ出願に関連する。これら全ての出願の開示は、参照により本明細書に組み込まれる。
【技術分野】
【０００２】
本発明の分野は、運動制御の不具合を有する患者のリハビリテーションのための装置である。
【背景技術】
【０００３】
随意筋の動作は、脳の体性運動皮質内で発生する電気的刺激に起因する。体性運動皮質内の神経細胞は、脊髄中の運動神経細胞へ電気信号を送り、筋繊維の収縮を促す電気信号を次々と送り、動作を実現させる。所定の運動神経細胞によって刺激される筋繊維の全ては、「運動単位（motor unit）」と呼ばれている。各筋繊維は、その細胞膜上で電位を示し、それは筋肉が収縮する時に変化する。
【０００４】
筋電図検査法（ＥＭＧ）では、皮膚表面上の電位差を筋肉の中央部と端部との間において測定し、収縮している筋繊維の数を測定する。ＥＭＧは、患者の種々の病状を診断するために恒常的に使用されており、また、筋機能の研究のために健常者にも使用されている。
【０００５】
体性運動皮質に損傷のある脳卒中患者においては、一つ以上の筋肉或いは筋肉の部分へ向かう電気信号が発生せず或いはそれらの筋肉には届かず、それらの筋肉は通常の収縮ができない。しばしば、筋肉を収縮させるには微弱過ぎまたは拡散し過ぎている残留ＥＭＧ信号は、依然として検出可能である。
【０００６】
神経筋電気刺激（ＮＭＥＳ）は、脳卒中患者における通常は収縮できない筋肉の収縮を引き起こすために用いられる。ＮＭＥＳは、筋肉の痙縮を停止させることができ、また、筋肉の萎縮を防止することができる。また、単筋から検出される残留ＥＭＧ信号に応じて単筋のＮＭＥＳをオンまたはオフし、それによって、患者の制御に基づいてその単筋を収縮できることが知られている。
【発明の開示】
【０００７】
本発明の実施形態の一側面は、所望の動作を生じさせるには不十分な方法で、麻痺患者の腕に或いは随意筋を備える体の他の部分にＮＭＥＳを適用することに関する。本発明の典型的な実施形態では、その所望の動作は、麻痺した部分を動作させる或いは動作を助けるアクチュエータにより提供されまたは支援される。代替的にまたは付加的に、患者は必要な付加的な神経信号を提供する（例えば、神経経路を介して）。いくつかの実施形態においては、そのアクチュエータは、動作に抵抗するために及び／又は所望の経路へ動作を導くために用いられる。選択的に、コントローラは、患者による複数の所望の動作および期待される反応を、様々な刺激および支援レベルに対して、その上に記憶するよう提供される。
【０００８】
本発明の典型的な実施形態では、ＮＭＥＳは、低すぎてそれ自体で動作を実現することができない強度で提供されるが、患者の運動皮質中で生じる神経刺激と組み合わせて腕または体の他の部位を動かすことができ或いはＮＭＥＳが提供されない場合よりもより効果的に動かすことができる。それは、例えば、その体の部位を動かすための運動皮質の訓練に役立つ筋肉のフィードバックを生成することによりなされる。いくつかの実施形態においては、ＮＭＥＳは、これを行うために、あまり強い必要はなく、或いはあまり正確に方向づけされている必要はない。この応用は腕に適用されるときはいつでも、随意筋を持つ他の体の部位いずれであっても或いは体の部位の組み合わせであっても代わりに用いることができることが理解されよう。選択的に、同じ腕からの、或いは患者の他の腕の対応する筋肉からの、或いは他人の腕からのＥＭＧ信号を用いて、ＮＭＥＳのパターン（例えば、タイミング及び／又は強度）を決定する。
【０００９】
本発明の実施形態の他の側面は、随意運動を経る一つの腕、選択的に健康な腕からのＥＭＧ信号を使用して、麻痺患者の腕であるもう一方の腕に適用されるＮＭＥＳのパターンを決定することに関する。選択的には、また、麻痺した腕からのＥＭＧ信号を使用し、ＮＭＥＳのタイミングを少なくとも決定する。選択的には、健康な腕は、患者のもう一方の腕であり、患者は鏡対象パターンで両腕を同期して動かそうと試みる。
【００１０】
選択的に、本発明のこれらの実施形態のいずれかにとっては、ＥＭＧおよびＮＭＥＳは、一つの筋肉に対してＮＭＥＳをオン又はオフすることよりもむしろ、二つ以上の筋肉の協調的な一連の収縮、及び／又は、一連のＮＭＥＳの強度を含んでいる。
【００１１】
協調的な一連の筋収縮のフィードバックを運動感覚を介して提供することによって、患者の神経系は神経刺激のための代替的な無傷の経路または運動皮質中の代替的な位置を利用するよう促され、患者は自身で自分の腕をより効率的に動かすことを学習することができる。ＮＭＥＳが、ＥＭＧにより測定されるような患者自身が生み出す微弱な神経刺激と協調する場合、これは特に正確であろう。
【００１２】
選択的に、ロボットアーム等、そのアームの動作をモニタする及び表示する装置は、麻痺した腕に使用され、また選択的に、健康な腕にも使用可能である。アームの動作についての情報は、患者へのさらなるフィードバックを、またＮＭＥＳを制御するためのフィードバックを、および、患者のリハビリテーションの進捗を監視する理学療法士へのフィードバックを提供する。また、ロボットアーム或いは同等の装置は、麻痺した腕を機械的に動かすことができ、違った種類の運動感覚のフィードバックを提供することによりＮＭＥＳを補完する。また、ロボットアームは、筋肉に逆らって働く力を与え、腕の増強の進展を測定するだけでなく腕を増強する方法をも提供する。
【００１３】
したがって、本発明の典型的な実施形態によれば、麻痺した体の部位を有する患者にリハビリを施すための装置であって、
a）麻痺した体の部位と同種の健康な体の部位の随意筋に適用されるように適合され、少なくとも１つのセンサが少なくとも１つのＥＭＧ信号を生成する、少なくとも１つの筋電図検査法（ＥＭＧ）センサと、
b）麻痺した体の部位の少なくとも１つの随意筋を刺激するために適合された神経筋電気刺激（ＮＭＥＳ）装置と、
c）前記ＮＭＥＳ刺激がそれ自体でコントローラにより期待される動作で前記麻痺した体の部位を動作させるのに十分でないように健康な体の部位からのＥＭＧ信号に少なくとも部分的に依存する麻痺した体の部位の刺激の強度を生成して、ＮＭＥＳを制御し且つ麻痺した体の部位の動作を期待するコントローラと、を含む装置が提供される。
【００１４】
選択的に、健康な体の部位の少なくとも１つの筋肉が、麻痺した体の部位の少なくとも１つの筋肉に対応する。
【００１５】
本発明の典型的な実施形態では、前記コントローラが、前記ＥＭＧ信号を処理して、前記ＮＭＥＳ信号の少なくとも１つの性質を決定するように構成されている。
【００１６】
本発明の典型的な実施形態では、コントローラは、ＮＭＥＳにより麻痺した体の部位を刺激させ、ＥＭＧ信号の感知時に健康な体の部位が生成する動作に対応する動作を作り出すように構成されている。選択的に、コントローラは、健康な体の部位の対応する筋肉からのＥＭＧ信号が健康な体の部位の動作中における対応する時間において増加するとき、麻痺した体の部位の少なくとも１つの筋肉の少なくとも１つの刺激の強度を増加させるように構成されている。
【００１７】
本発明の典型的な実施形態では、麻痺した体の部位の少なくとも一つの筋肉が筋肉の拮抗対を含み、コントローラは、筋肉の拮抗対の一方の筋肉に対応する健康な体の部位における筋肉からのＥＭＧ信号が健康な体の部位の動作中における対応する時間において増加するとき、筋肉の拮抗対のうちの他方の筋肉の刺激の強度を減少させるように構成されている
【００１８】
本発明の典型的な実施形態では、コントローラとＮＭＥＳ装置のうち１つ又は双方は、自身で麻痺した体の部位を動かすことができない少なくとも何人かの患者に対しては、刺激強度が、患者の脳からの神経刺激がない場合には刺激された筋肉を収縮させるのに不十分となるように、しかし患者の脳からの神経刺激がある場合にはその筋肉を収縮させるのに十分となるように構成されている。
【００１９】
本発明の典型的な実施形態では、少なくとも１つのＥＭＧセンサは、複数のＥＭＧセンサを含んでおり、各ＥＭＧセンサは健康な体の部位の異なる筋肉または筋肉の部分に適用されるために適合されている。選択的に、各ＥＭＧセンサは別々のＥＭＧ信号を生成する。選択的に、ＮＭＥＳ装置が、麻痺した体の部位の複数の筋肉または筋肉の部分に独立して刺激を与えるよう適合されている。選択的に、前記麻痺した体の部位の複数の筋肉または筋肉の部分が、複数のＥＭＧセンサを適合させて適用する健康な体の部位の筋肉または筋肉の部分に対応する。選択的に、コントローラは、前記麻痺した体の部位の複数の筋肉または筋肉の部分のＮＭＥＳ刺激の強度が、複数のＥＭＧセンサからのＥＭＧ信号に少なくとも部分的に依存するように構成されている。選択的に、コントローラは、前記複数の筋肉または筋肉の部分の各々のＮＭＥＳ刺激の強度が、対応する筋肉または筋肉の部分からのＥＭＧ信号に少なくとも部分的に依存するように構成されている。
【００２０】
本発明の典型的な実施形態では、前記麻痺した体の部位は、対となっている体の部位である。選択的に、麻痺した体の部位が腕である。代替的にまたは追加的に、麻痺した体の部位が足である。
【００２１】
本発明の典型的な実施形態では、健康な体の部位が患者に属している。代替的に、健康な体の部位が違う人間に属している。
【００２２】
本発明の典型的な実施形態では、コントローラが、ＥＭＧ信号の処理後の形状に少なくとも部分的に依存する刺激強度を生成する。選択的に、ＥＭＧ信号の処理後の形状は、ＥＭＧ信号のタイミングに合わせて引き延ばされる。代替的にまたは追加的に、ＥＭＧ信号の処理後の形状が、ＥＭＧ信号の発生時に健康な体の部位が経験していた動作の鏡像となる健康な体の部位の動作により生成されるであろうＥＭＧ信号に対応する。代替的にまたは追加的に、ＥＭＧ信号の処理後の形状が、ＥＭＧ信号からの時間遅延である。
【００２３】
本発明の典型的な実施形態では、その装置は、健康な体の部位の位置をモニタする第１の位置検知装置を含む。選択的に、その装置は、健康な体の部位の位置を機械的に変化させる第１のアクチュエータを含む。
【００２４】
本発明の典型的な実施形態では、その装置は、麻痺した体の部位の位置をモニタする第２の位置検知装置を含む。
【００２５】
本発明の典型的な実施形態では、その装置は、前記コントローラの制御に基づいておよび前記期待動作に従って、麻痺した体の部位の位置を機械的に変化させる麻痺アクチュエータを含む。
【００２６】
また、本発明の典型的な実施形態によれば、麻痺した体の部位を有する患者の部類にリハビリを施すために適合された装置であって、麻痺した体の少なくとも一つの随意筋を刺激するよう適合された神経筋電気刺激（ＮＭＥＳ）装置を含み、刺激の強度はそれ自体で前記筋肉を収縮させるほどではないものの、同時に前記部類の患者がその体の部位を動作させようと試みるとき、刺激の強度は前記筋肉を収縮させるのに十分である、装置が提供される。
【００２７】
本発明の典型的な実施形態では、その装置は、麻痺した体の部位の随意筋に適用するために適合される少なくとも１つの麻痺ＥＭＧセンサを含み、少なくとも１つの麻痺ＥＭＧセンサは少なくとも１つの麻痺ＥＭＧ信号を生成する。選択的に、コントローラは、少なくとも１つの麻痺ＥＭＧ信号に少なくとも部分的に依存する麻痺した体の部位の刺激の強度を生成する。選択的に、麻痺した体の部位に適用するために適合された少なくとも１つの麻痺ＥＭＧセンサは、それぞれが麻痺した体の部位の異なる筋肉または筋肉の部分に適用されるように適合された、およびそれぞれが別々の麻痺ＥＭＧ信号を生成する、複数の麻痺ＥＭＧセンサを含む。選択的に、ＮＭＥＳ装置は、麻痺ＥＭＧ信号センサが適用されるよう適合された麻痺した体の筋肉または筋肉の部分を刺激するために適合されており、コントローラは、それぞれの筋肉または筋肉の部分の刺激の強度をその筋肉または筋肉の部分からの麻痺ＥＭＧ信号に少なくとも部分的に依存させるよう構成されている。
【００２８】
本発明の典型的な実施形態では、前記第１のアクチュエータは、完全な支援、部分的な支援、非支援からなるグループから選択される様々なレベルで、前記健康な体の部位の位置を機械的に変化させる。
【００２９】
本発明の典型的な実施形態では、前記第１のアクチュエータは、前記健康な体の部位の動作範囲を制限することによって前記健康な体の部位の位置を機械的に変化させる。
【００３０】
本発明の典型的な実施形態では、前記第２のアクチュエータは、完全な支援、部分的な支援、非支援からなるグループから選択される様々なレベルで、前記麻痺した体の部位の位置を機械的に変化させる。
【００３１】
本発明の典型的な実施形態では、前記第２のアクチュエータは、前記麻痺した体の部位の動作範囲を制限することによって、前記麻痺した体の部位の位置を機械的に変化させる。
【００３２】
また、本発明の典型的な実施形態によれば、麻痺した体の部位を有する患者にリハビリを施す方法であって、
a）患者または他の人間に、麻痺した体の部位と同種の健康な体の部位を動かしてもらい、
b）動かしている間、その健康な体の部位からＥＭＧ信号を検出し、
c）ＮＭＥＳ信号の少なくとも１つの性質を決定するために前記ＥＭＧ信号を処理し、
d）前記処理に応じて、麻痺した体の部位にＮＭＥＳ信号を適用し、およびe）前記ＮＭＥＳ刺激によって最大限でも部分的に前記麻痺した体の部位を動かすことを含む方法が提供される。
【００３３】
選択的に、前記ＮＭＥＳは、前記ＥＭＧ信号に従ったタイミングで適用される。代替的にまたは追加的に、前記ＮＭＥＳは、前記ＥＭＧ信号に従った強度で適用される。
【００３４】
本発明の典型的な実施形態では、その方法は、ＥＭＧ信号を検出中に健康な体の部位を動作させるのと同じ動作パターンで、ＮＭＥＳを適用しながら、患者に麻痺した体の部位を動かすよう試みさせることを含む。選択的に、ＥＭＧ信号を検出することは、健康な体の部位の複数の筋肉または筋肉の部位からＥＭＧ信号を検出することを含み、ＮＭＥＳを適用することは、健康な体の部位の複数の筋肉または筋肉の部分に対応する麻痺した体の部分の複数の筋肉または筋肉の部分にＮＭＥＳを適用することを含む。選択的に、麻痺した体の部位の試みられている動作パターンの時間間隔中に麻痺した体の部位のそれぞれの筋肉または筋肉の部分に適用されるＮＭＥＳの強度は、健康な体の部位の動作パターンにおける対応する時間間隔中に、健康な体の部位の対応する筋肉または筋肉の部分から検出されるＥＭＧ信号に少なくとも部分的に依存する。
【００３５】
本発明の典型的な実施形態では、麻痺した体の部位は、動作がアクチュエータにより機械的に提供される。選択的に、前記アクチュエータは、前記検出されたＥＭＧと同期する。代替的にまたは追加的に、前記アクチュエータは、前記適用されるＮＭＥＳと同期する。代替的にまたは追加的に、麻痺した体の部位は、アクチュエータの動作によって機械的に支援される。代替的にまたは追加的に、麻痺した体の部位の動作が、アクチュエータによって制限される。
【発明を実施するための最良の形態】
【００３６】
本発明の典型的な実施形態は図面を参照して以下の部分に記述される。図面は概して共通の尺度を持つものではなく、異なる図面間において同一又は関連する特徴に対して同一又は同様の符号が用いられる。
【００３７】
図１は、健康な腕の対応する筋肉からのＥＭＧ信号によって案内される麻痺した腕の幾つかの筋肉へ、ＮＭＥＳを適用するための装置を示す。麻痺した腕を持つ患者またはその他の人のいずれかに属している健康な腕１０２は、その皮膚にＥＭＧ電極が取り付けられている。その腕を持つ人は特定のパターンでその腕を自発的に動かし、それによりその筋肉中においてＥＭＧ電圧の一定の時間依存パターンが発生する。選択的に、４つのＥＭＧチャネルがあり、それぞれのチャネルは二頭筋、三頭筋、屈筋、伸筋の４つの筋肉それぞれからのＥＭＧ信号を測定する。それぞれのチャネルは、筋肉の各端部付近からの信号を記録する２つの電極と、中央部の１つの参照電極とからなる、３つの電極を用いている。例えば、電極１０４は二頭筋を測定し、電極１０６は三頭筋を測定し、電極１０８は屈筋を測定し、及び電極１１０は伸筋を測定する。選択的に同様の配置は大胸筋と三角筋の対のような他の筋肉の対のグループに対しても配置されることは、本発明の詳細な説明から理解されよう。その腕が自発的に動くとき、これらの電極は、その腕のその動作を生み出している筋収縮のパターンに対応するＥＭＧ信号を、ケーブル束１１２，１１４，１１６，１１８を介してＥＭＧ装置１２０へ送信する。このＥＭＧ装置、或いは別途のコントローラは、例えば増幅、デジタル化、及び／又は記録等、ＥＭＧ信号の予備処理をする。
【００３８】
その後、ＥＭＧ信号は、ケーブル１２２を介して、パーソナルコンピュータ等である、或いは特別の専用ハードウエアを含むコントローラ１２４へ伝送される。選択的に、そのコントローラは、さらに、例えばフィルタリング、整流、平滑化、タイミングの変更、或いはシーケンスの一部のカットアンドペースト等を異なった順序で実行することにより、ＥＭＧ信号を処理する。選択的に、その信号処理は自動的になされ、或いは理学療法士の制御に基づいて部分的又は全体的になされる。図２は、一つのチャネルからのフィルタリングされた未加工のＥＭＧ信号２０２、整流信号２０４、その信号の二乗平均を連続した時間間隔、例えば１０ミリ秒毎、のそれぞれにおいて計算した平滑化整流信号２０６のプロットを示す。平滑化整流信号は、個々の筋繊維の電位変化に関連する高周波ノイズを除去中の、そのチャネルによって測定される筋肉または筋肉の部分の全体的な収縮の程度の測定値である。選択的に、平滑化整流ＥＭＧ信号は、同じ動作パターンが何度も繰返される間に平均化される。選択的に、ＥＭＧセンサは、筋肉の幾つかの異なる部分から生じるＥＭＧ信号を加算または平均化する、つまりこれは信号処理によりなされる。信号処理の選択可能な形式は、例えば、健康な手足上でＥＭＧを測定すると同時に健康な手足の実際の動作を測定することによって、ＥＭＧ信号が所望の動作に起因することが明らかとなるように、ＥＭＧ信号を検証している。選択的に、信号処理の一つ以上のパラメータは、理学療法士によって制御される。本発明のいくつかの実施形態においては、平滑化整流ＥＭＧ信号は、例えば、高いまたは低い測定値を要素とせずに、残りの測定値を多重反復後に平均化するなどして、異常なＥＭＧの測定値を計算に入れずに生成される。いくつかの実施形態においては、ＥＭＧが測定された後、例えば多重ＥＭＧ信号を収集および平均化することができる時間遅延をもってＮＭＥＳが適用される。
【００３９】
また、コントローラ１２４は、ケーブル１２８を介してＮＭＥＳ装置１２６を制御する。選択的に、コントローラ１２４は、ＮＭＥＳ装置に対して、４つのチャネルのそれぞれにおいてＮＭＥＳ信号を生成するよう命令する。４つのチャネルにおける信号は、ケーブル１３０，１３２，１３４，１３６を通って電極１３８，１４０，１４２，１４４へ進み、患者の麻痺した腕１４６の二頭筋、三頭筋、屈筋、伸筋（或いは選択的に場合によっては他の筋肉対）をそれぞれ刺激する。選択的に、各チャネルにおけるＮＭＥＳ信号は、健康な腕で行われたような動作と同様の動作を麻痺した腕において実現させる時間依存強度が与えられている。例えば、４つのＥＭＧチャネルのうちの対応する１つからの処理された信号の強度に依存する各ＮＭＥＳチャネル中の信号強度を生成することによって、これは為される。例えば、ＮＭＥＳ信号は、対応するチャネルにおいて、処理されたＥＭＧ信号の強度に比例する、すなわち、処理されたＥＭＧ信号の強度の一定の単調関数となる。
【００４０】
また、選択的に、ＮＭＥＳ信号は、１つ以上の他のチャネルからのＥＭＧ信号に依存する。例えば、二頭筋と三頭筋は互いに逆に作用するので、二頭筋と三頭筋を制御するＮＭＥＳ信号は、選択的に、三頭筋からのＥＭＧ信号に関して負の係数を持つ、二頭筋からのＥＭＧ信号と三頭筋からのＥＭＧ信号との一次結合に依存する。一次結合が正であれば二頭筋のみが刺激されており、一次結合が負であれば三頭筋のみが刺激されている。選択的に、同様の方法は、また、互いに逆に作用する屈筋と伸筋等の他の主動筋‐拮抗筋の対に用いられる。
【００４１】
選択的に、ＮＭＥＳ信号は、対応する筋肉からのＥＭＧ信号に直接的にではなく基づいており、ＥＭＧ信号に関連した動作から何らかの方法で反転された動作を生成するために修正される。例えば、左腕からＥＭＧ信号が生じ、右腕にＮＭＥＳ信号が適用されれば、その後選択的に、ＮＭＥＳ信号は、２つの腕における対応する筋肉が同時に収縮する場合に生じるように、その鏡像というよりもむしろ、左腕の動作と同じである右腕中の動作を実現するように変換される。代替的にまたは追加的に、その２つの腕が左腕と右腕であろうとなかろうと、健康な腕の動作が周期的であれば、その後、ＮＭＥＳ信号は健康な腕の動作から１８０度位相がずれた麻痺した腕の動作を実現するように変換される。ＮＭＥＳにおけるそのような変更は、例えば、歩き方や自転車の乗り方を再学習する患者において、左右の足に対して用いると特に有用である。
【００４２】
また、選択的に、麻痺した腕には、ＥＭＧ電極１４８，１５０，１５２，１５４が取り付けられている。これらのセンサは、ケーブル１５６，１５８，１６０，１６２のそれぞれに沿って、ＥＭＧ装置１２０の４つの付加的なチャネルへ信号を送信する（従って、ＥＭＧ装置１２０は計８つのチャネルを有する）。これらの付加的なＥＭＧ信号は、健康な腕１０２からのＥＭＧ信号の処理と同様、ＥＭＧ装置およびコントローラ１２４により処理される。また、選択的に、麻痺した腕１４６からのＥＭＧ信号はＮＭＥＳ信号を制御する際にコントローラ１２４によって使用される。患者の感覚運動皮質は依然として麻痺した腕１４６中の微弱な神経刺激を生成する能力があるので、たとえこれらの神経刺激が弱すぎて麻痺した腕を動かすことができないとしても、ＥＭＧ信号は発生し得る。麻痺した腕においてＮＭＥＳ信号を対応するＥＭＧ信号との間でタイミングをとることによって、患者へ運動感覚のフィードバックを提供することにより、麻痺した腕は、患者が腕を動かそうとする試みに応じて動作可能である。代替的にまたは追加的に、麻痺した腕１４６におけるＥＭＧ信号は、例えば、図３の記載において以下で検討されるようなロボットアームによって、受動的に、麻痺した腕１４６を動かすことにより生じ得る。
【００４３】
また、選択的に、コントローラ１２４は、ＮＭＥＳ信号の強度を制御する際に、他の情報を用いる。例えば、健康な腕には、肘の曲がり具合を測定する歪みセンサ等のセンサ１６４、および指の伸長具合を測定するセンサ１６６が備えられており、さらに麻痺した腕にも同様のセンサ１６８と１７０とが備えられている。それらセンサは、腕と指の曲がり具合を測定するためのセンサデータを処理するユニット１７２へ入力し、この情報は例えばケーブル１７４によってコントローラ１２４へ伝達される。選択的に、ユニット１７２とコントローラ１２４は、単一のコントロールユニットの一部分である。選択的に、これらのセンサは一本の腕にのみ使用される。選択的に、特にＥＭＧとＮＭＥＳがさらなる筋肉に使用される場合には、腕および手の位置の他の側面を測定する他のセンサが使用される。他の形式の様々なセンサは、追加的にまたは代替的に、腕又は手の位置を測定するために用いられ、例えば、腕は、以下に記載される図３に示すように、それ自体の状態を測定するためのそのようなセンサを備えたロボットアームに取り付けられる。或いは、腕と手の所定点（key points）にＬＥＤを取り付けてそれらの位置をビデオカメラを用いて追跡記録し、或いは、腕と手の所定点に磁場センサを取り付けて外部磁場及び／又は磁場の勾配をかける。体の部分の位置と方向をセンシングする技術分野における当業者にとっては、他の方法は明らかであろう。
【００４４】
麻痺した腕の位置は、例えば、ＮＭＥＳ信号への負のフィードバックとして使用可能である。リハビリテーションの進行中、患者自身の神経刺激はより強くなり及び／又はより効果的になり、例えば筋肉の拮抗対間をより明確に区別するので、同じ腕の動作を実現するのであっても、ＮＭＥＳ信号を減少させることができる。また、この種のフィードバックは、所定のリハビリテーション活動内で使用可能である。例えば、患者が一時的に腕の動作を継続することが困難となれば、患者が再び腕の動作を開始できるまで、一時的にＮＭＥＳの強度を増加させる。選択的に、この場合、コントローラは、例えば麻痺した腕におけるＥＭＧ信号レベルに注目することによって、患者が単に休憩していることと患者が腕を動かそうとして失敗していることとを区別する。
【００４５】
健康な腕の位置は、例えば、健康な腕における筋肉の収縮具合の一つの指標として、健康な腕からのＥＭＧ信号を補うために用いることができる。代替的にまたは追加的に、両腕の位置のデータを用いて、患者のリハビリテーションの進捗状況をモニタすることができる。
【００４６】
図３は、図１の健康な腕か麻痺した腕のいずれか一方であって、ロボットアーム３００が取り付けられている腕３０２を示す。上腕はホルダ３０４により把持されており、前腕はホルダ３０６により把持されている。上腕ホルダ３０４は、制御可能ボールジョイント３１０に接続された伸縮可能ロッド３０８に取り付けられており、同様に前腕ホルダ３０６は、制御可能ボールジョイント３１４に接続された伸縮可能ロッド３１２に取り付けられている。ボールジョイント３１０および３１４は、剛性コネクタ３１６を用いて互いに接続されている。ボールジョイントと伸縮可能ロッドは、この場合、各ボールジョイントに対し自由度が２、および各伸縮可能ロッドに対し自由度が１である、それら全ての自由度のためのアクチュエータとセンサの双方を含んでいる。センサは腕３０２の肘の曲がり具合を感知可能であり、アクチュエータは肘を曲げる或いは伸ばす、及び／又は患者による肘の曲げ伸ばしに抵抗する力を加えることができる。選択的に、アクチュエータとセンサは、例えばどの筋肉がリハビリ中か等に依存する、より多くの又はより少ない自由度を有しており、また選択的に、ロボットアームは、例えば、腕、手、指上の別の位置である、腕３０２上の追加的な位置に取り付けられる。センサからアクチュエータへの信号は、図３に示されていない、ロボットアーム制御ボックスにより処理される。
【００４７】
ロボットアームは選択的に、図１中のセンサ１６４，１６６，１６８，１７０と同じように使用される。さらに、ロボットアームが制御された方法で自力で動作可能であるという事実は、麻痺した腕に使用される場合であって、患者へ運動感覚のフィードバックを提供する際に、それがＮＭＥＳを補完することができるということを意味する。ロボットアームは、筋肉それ自体の力に基づいて筋肉を収縮させることなく麻痺した腕を動かすことができるので、ＮＭＥＳが提供するものよりも様々な種類の運動感覚のフィードバックを提供し、場合によってはフィードバックの両方の形式がリハビリテーションに有用である。例えば、ＮＭＥＳは単独では滑らかな及び正確な動作を実現することができない場合があり、ロボットアームがＮＭＥＳにより生じる動作の補正及び平滑化に貢献することができる。
【００４８】
選択的に、ロボットアームの受動及び能動モードの双方は、ＮＭＥＳと併用される。ロボットアームにより生成される動作は、ＮＭＥＳによる筋収縮により補助される。能動的手法で患者がロボットアームを動かすとき、ＮＭＥＳ信号はそれ相応に調整される。
【００４９】
選択的に、麻痺した腕に取り付けられたロボットアームの動作は、健康な腕の動作に関連したＥＭＧの測定値に基づいている。
【００５０】
リハビリテーションを提供する場合、ロボットアームにより様々な形式の動作を支援することができ、例えばそれは下記のうちの少なくとも１つからなる。
【００５１】
a）受動的動作。ロボットアームが動かされ、患者はロボットアームと共に動く。
【００５２】
b）抵抗的動作。患者はロボットアームを動作させ、抵抗力を受ける。その抵抗力は様々な大きさとすることができ、また、全方向に均一とすること或いは指向性とすることができる。
【００５３】
c）支援的動作。患者がロボットアームを動作させるとき、腕における正のフィードバックが、患者により動作させられている方向に動作の力を増加させる。
【００５４】
d）力場動作。患者がロボットアームを動作させる。ある軌道に沿って、一定レベルの抵抗力（又は無抵抗力）に直面する。その軌道からの逸脱は許容されず、逸脱すると抵抗力を受ける。「正しい」軌道に沿った動作は、抵抗力なしで為し得、場合によっては支援を受けることができる。軌道を取り囲む体積（volume）中では、抵抗力の増加が見られる。体積の周囲では、抵抗力のより一層のさらなる増加が見られる。体積の外側では、動作を妨げることができる。本発明の典型的な実施形態では、軌道上にない場合に軌道へ向ける、矯正力ベクトルが適用される。選択的に、矯正力に代えて、軌道からの距離の関数として抵抗力を変化させることで、ロボットアームの動作が自然と軌道へ戻されるよう促す。選択的に、その力は、その経路の方向に働く。代替的に、その力は、一定方向だけに作用する抵抗力であってもよい。
【００５５】
この動作形式は所望の動作における患者の訓練に役立つ。
【００５６】
e）鏡映動作（mirrored motion）。ロボットアームの動作は、例えば両手足のリハビリテーションにおいては、異なった要素の動作の軌道を鏡映するよう要求される。
【００５７】
f）自由動作。患者は望み通りの方向にロボットアームを動かし、場合によってはフィードバックを受ける。患者（又は理学療法士又はヘルパー）がロボットアームを動作させている最中、装置は、その後再生するためにそれを記録することができる。再生モードにおいて、記録済みの動作（又は経路）は、場合によっては他のモードで再現される。選択的に、記録済みの経路は、例えば自動的に又は手動で修正される（例えば、平滑化など）。
【００５８】
g）全体的な力場（General Force Field）。特定の軌道には関連しない、力場及び／又は支援場（assistance field）が定義される。例えば、ある範囲の軌道、すなわち実際の又はシミュレーションされた仮想の状態（例えば、水中、障害のある場所）が、ユーザの実施を許容するであろう。
【００５９】
h）局所的な力場。力場は、狭い局所にのみ、及び／又は、１次元または２次元にのみ適用される。
【００６０】
i）制限的動作。被験者の体の少なくとも１つの位置を支持する或いはそれが動かないようにする。選択的に、そのような位置と動作位置との間の装置上の角度が測定される。一例を挙げれば、肩の動作のみ許容する専用の装着帯で肘を固定する。いくつかの実施形態においては、その制限は部分的であり、及び／又は、可動要素（例えば腕）によって提供される。
【００６１】
j)初期動作。患者が動作を開始すると（例えば、１ｃｍの動作又は１００グラム重量）、ロボットアームが、空間におけるその動作を完結する或いは患者がその動作を完結するのを手助けする。その完結は、軌道の全てにおけるものであっても、軌道の一部におけるものであってもよい。
【００６２】
ｋ)暗示的動作。ロボットアームが動作を開始し、患者がそれを完結する。ロボットアームは、様々な方法で（例えば、動作開始後、本明細書中に述べるモードのうちの１つに変更することによって）その後の動作を支援する。患者がその動作を逸脱した場合、ロボットアームは例えば音声による合図等の合図を発する。単一の動作軌道のうちの様々な部分には、それぞれ、装置開始の定義付けを持たせることができる。選択的に、患者の動作が遅すぎる場合には、ロボットアームは動作を開始する。
【００６３】
l）合図動作。患者は、異なるモードの開始に応じて、動作前にシステムから合図を受け取る。その合図としては、例えば、ロボットアームの振動、皮膚上の刺激パッド、音声又は視覚的な合図等を用いることができる。本発明のいくつかの実施形態においては、合図の強度及び／又はそのタイミング及び／又は他の継続中の活動（例えば、画像表示やゲーム）が、視覚と手の協調関係等の異なった治療法間の連携の訓練を支援するために使用される。動作合図は、運動感覚の訓練に用いることができる。
【００６４】
m）教育モード。ロボットアームは動作を学ぶ。一例を挙げれば、理学療法士が動作を実行すると、各点（point）における動作パラメータが記録され、その後、運動に利用することができる。そのシステムに学ばせる他の方法は、理学療法士が自身の動作で辿る経路に従うことである。理学療法士は、コントローラを用いて、教えようとする点を示すことができ、または連続的なモードを定義することが可能であり、それにより軌道全体を学習させることができる。選択的に、経路と点は再生の前に編集される。選択的に、経路に対しては、再生前に、例えば平滑化や動作点の同定等の処理がなされる。
【００６５】
したがって、本発明のいくつかの実施形態においては、ロボットアームは、等運動性の、同緊張の、均衡の運動のうちの少なくとも１つを提供することができる。
【００６６】
当然のことながら、ロボットアームが追跡する軌道を定義する際には、速度パラメータを含めることが可能である。例えば、ユーザを支援し又は促し又は予測して、特定の速度でロボットアームを動かす。その速度は、例えば、絶対的ないし相対的である（例えば、均一な速度または不均一なプロファイルに一致する速度を要求している）。
【００６７】
選択的に、角度の軌道を定義し、ロボットアームの角度方向に対する制限を認識する。いくつかの実施形態においては、その制限は一次元である。他の実施形態においては、それは２又は３次元である。
【００６８】
特定のリハビリテーションのシナリオにおける、速度、角度、空間の軌道は、上述の動作形式の別々の形式にそれぞれ所属させることが可能である。例えば、空間の軌道は力場形式とすることができ、一方、速度の軌道は自由又は支援形式である。また、軌道の形状及び／又はそのパラメータは、時間の関数として及び／又は以前の動作の関数として、軌道に沿って変化可能である。例えば、軌道の前半部分において適切に（或いは期待されているよりも良好に）実行された動作の形状に対しては、軌道の後半部分において提供する支援はより少なくてよい。
【００６９】
軌道は絶対的であってもよく、例えば、ロボットアーム上の休止点又は別の点の関数として定義される。他の実施形態では、軌道は純粋に相対的であり、例えば、開始点にもかかわらず、一直線に腕を動かすよう患者に要求する。他の実施形態では、動作開始直後に、例えば患者が立っているところか座っているところかどうか、またどんな種類の手の動作が期待されているかを示す軌道の出だし等、残りの軌道の形状を決定するという点において、部分的に相対的である。
【００７０】
いくつかの実施形態においては、以下に示すように、多数の点が定義されている場合には、各点の軌道を別々の形式とすることが可能である。いくつかの実施形態においては、定義されているものは、２つ以上の点の関数としての軌道である。例えば、２つの点を用いて肘の配置（例えば、骨の間の角度）が定義されれば、肘の動作における軌道の制限を定義することができる。そのような動作は、空間中において相対的であって（例えば、２つの位置の比較）、また絶対的でなくてもよい（例えば、装置の参照位置と比較して）。本発明のいくつかの実施形態においては、それらの全てがスカラー量又はベクター量である、速度、力、及び／又は回転に関連づけられ得る、空間中における各点のような、テンソル又はテンソル場が提供されることに留意すべきである。
【００７１】
本発明のいくつかの実施形態においては、軌道の異なる部分に対して又は空間の異なる部分に対して（例えば、特定の腕に対して）、異なるモードが定義される。選択的に、モードは、実際の動作に基づいて始動する。例えば、動作速度がある閾値以下であれば、より支援型のモードを提供する。同様に、閾値を超える小休止は、より支援型のモードを示唆する。正確な動作は、より低支援型のモードを示唆する。
【００７２】
図４は、本発明のその他の典型的な実施形態に記載の配置を示すものであり、麻痺した腕１４６のみを用いている。図１と同様に、麻痺した腕の二頭筋、三頭筋、屈筋、伸筋には、各筋肉に対して３つの電極となるように、ＥＭＧ電極１４８，１５０，１５２，１５４をそれぞれ取り付け、ケーブル１５６，１５８，１６０，１６２に沿ってＥＭＧ装置１２０へＥＭＧ信号が伝達され、予備処理後、その信号はコントローラ１２４へ伝送される。図１と同様に、コントローラ１２４は、ＥＭＧ信号を使用して、ＮＭＥＳ装置１２６により送信されるＮＭＥＳ信号の強度とタイミングを決定し、ＮＭＥＳ電極１３８，１４０，１４２，１４４を介して二頭筋、三頭筋、屈筋、伸筋を刺激する。
【００７３】
図４のＮＭＥＳ装置１２６によって送信されたＮＭＥＳ信号は、それ自体、麻痺した腕１４６を著しく動作させるほど充分な強度を有しておらず、また選択的にこれは図１においても当てはまる。しかし、ＮＭＥＳ信号は、患者自身の神経刺激と一緒になれば、その腕を動かすには充分な強度を有する。従って、麻痺した腕は患者がそれを動作させようとするときにのみ動作し、そして、その動作により与えられる運動感覚のフィードバックは、患者における神経刺激のための代替経路、又は同じ筋肉に神経刺激をもたらすための運動皮質中の代替位置の発達をさらに促進させ、最終的には、患者は自身で麻痺した腕を動かすことができるようになる。これは、動作が、２つ以上の筋肉の協調的な一連の収縮を必要とする場合に特に有用であろう。選択的に、リハビリテーションの進行中、患者が麻痺した腕を動作させるために必要とされるＮＭＥＳ信号が低くなるにつれて、ＮＭＥＳ信号を低下させる。
【００７４】
選択的に、患者の運動皮質からの神経刺激がない場合、ＮＭＥＳ信号は、平均的な健常者又は平均的な麻痺患者に対して動作を生成するのに必要とされる強度の１００％から１２０％であり、或いは特定の患者に対してはそのレベルが調整される。代替的に、ＮＭＥＳ信号は、これらの人々のいずれに対してもその強度の１２０％から１４０％とされ、または８０％から１００％、または６０％未満とされる。選択的に、こられの人々のいずれに対しても、ＮＭＥＳ信号は、動作させようと努力する際に運動皮質から生じる神経刺激の存在下で動作を実現するのに必要とされるレベルの１００％から１２０％であり、または１２０％から１４０％、または１４０％から２００％、または２００％よりも大きい。
【００７５】
選択的に、ＮＭＥＳは、平均的な健常者が神経刺激を筋肉の一部分へ自発的に導く際に達成する能力と少なくとも同じくらいの空間的精度で筋肉の一部に狙いを絞り込んでいる。代替的に、ＮＭＥＳは、この高精度よりも低めで狙いを絞り込むが、少なくともこの高い精度の半分、或いはこの高い精度の半分未満ではあるが、少なくともこの高い精度の４分の１、或いはこの高い精度の４分の１未満である。
【００７６】
図１および図４に記載の手順の特徴は、リハビリテーションを容易にするために、患者のニーズに合わせて変更可能である。いくつかの実施形態を以下に示す。
【００７７】
ＥＭＧおよびＮＭＥＳは、図１と図４において使用されており示されている筋肉を４つとも用いる必要はない。選択的に、初期には、二頭筋と三頭筋のみが使用される。その後、患者は二頭筋と三頭筋とを効果的に使う能力を幾分得た時点で、屈筋と伸筋がＥＭＧおよびＮＭＥＳチャネルに追加される。これら４つの筋肉は、胸筋や三角筋等の他の筋肉に加えて、腕の全体制御の基本をなす。その後、個々の指、及び／又はもう一方の手首および手が加えられ、微細な運動制御を向上させる。腕以外の体の部位のリハビリテーションのためには、当然ながら、他の筋肉群が選択される。
【００７８】
選択的に、ＮＭＥＳの強度は、種々のソースからのフィードバックに依存して、およびリハビリテーションプログラムの当面の目標に依存して変更される。前述のように、選択的に、患者が神経刺激の生成および自身による筋肉の動作の能力を回復するにつれて、ＮＭＥＳ信号を減少させる。代替的に、当面の目標が退化した筋肉の強化であれば、その筋肉がより強くなるにつれて、選択的に、ＮＭＥＳの強度を増加させる、そうするとより激しい運動となり、その運動から恩恵を受けることができる。この場合、選択的に、筋肉がより強くなるにつれて増加するおもり又はロボットアーム等のような抵抗力に逆らって腕を動作させるので、同じ量だけ腕を動作させるためにはＮＭＥＳ信号をより強くする必要がある。
【００７９】
神経刺激の代替経路の発達を促すために運動感覚のフィードバックを用いることに加えて、上述のような、他の種類のフィードバックを選択的に用いて、筋肉をより効果的にコントロールする方法を患者が学習できるよう支援する。例えば、ＮＭＥＳ刺激により神経刺激が補完される場合の腕の動作を観察することは、患者が自身の腕を動かすために加える力を調整するのに役立つ。同様に、患者による意識的な学習のためのそのようなフィードバックは、腕の動作を測定及び記録する図３のロボットアーム等の装置により、および処理済みのＥＭＧ信号により提供することができる。例えば、患者は、健康な腕が所望の動作を実行しているときに、麻痺した腕からのＥＭＧ信号を、健康な腕により生成されるＥＭＧ信号に更に酷似させようと試みることができ、または、患者は、麻痺した腕からのＥＭＧ信号を、おそらく健康な腕からの若しくは同様のリハビリテーションを経験した他の患者の麻痺した腕からの記録済みＥＭＧ信号を考察することにより構築されたいくつかのテンプレートに更に酷似させようと試みることができる。
【００８０】
図１に示す配置においては、患者のもう一方の腕が健康な腕として用いられれば、その後、選択的に、患者は両腕を鏡像動作で同調して動作させるよう試みる。選択的に、健康な腕のＥＭＧ信号に基づくＮＭＥＳ信号は麻痺した腕を動作させることができ、患者は両腕を同時に動作させようと試みているので、患者は麻痺した腕から運動感覚のフィードバックを受け取る、このことは神経刺激の代替経路の発達の促進を支援する。本発明のいくつかの実施形態においては、健康な腕の鏡像動作に対応する麻痺した腕の動作は、部分又は全体において、ロボットアーム３００によって支援される。
【００８１】
選択的に、ＮＭＥＳ信号は、麻痺した腕の能力に適合させられる。例えば、麻痺した腕の筋肉がＮＭＥＳに対して通常のものと同じくらい迅速に反応する能力がなければ、その後、選択的に、ＮＭＥＳ信号は減速され、或いは高周波成分が低減若しくは除外される。筋肉がより迅速な反応の能力を回復するにつれて、ＮＭＥＳ信号は再び速度が向上される。ＮＭＥＳ信号の速度は、麻痺した腕の動作に対するセンサデータに応じて自動的に、または、患者を評価するためのそのようなセンサデータを状況に応じて使用する理学療法士により手動で、調整される。麻痺した腕の動作を支援するためにＮＭＥＳと連携してロボットアームを用いる場合、選択的にロボットアームの動作はＮＭＥＳと共に減速する。たとえＮＭＥＳを用いることなく麻痺した腕の動作を支援するためにロボットアームが使用されたとしても、例えば、ロボットアームが患者自身の神経刺激による動作に対してより大きく貢献するよう患者を支援するであろう場合、またはリハビリテーション中の何らかの他の理由に役立つであろう場合には、ロボットアームの動作は状況に応じて減速する。
【００８２】
図５Ａから５Ｇは、体性運動皮質内の脳卒中に続いてよく起こる問題、すなわち二頭筋と三頭筋或いは屈筋と伸筋のような拮抗対を形成する２つの筋肉の間を適切に区別するための患者の神経刺激の障害、を抱えている患者にリハビリを施す手順を示している。図５Ａに示すように、患者が自身の手を開閉しようとする際の、伸筋からのＥＭＧ信号４０２、および屈筋からの信号４０４は、しきい値４０６よりも高いので、両筋肉を収縮させるだけの強さがある。しかし、両筋肉が同時に収縮すると、それらは互いに逆に作用するので、手はほとんど動作しない。まず、図５Ｂ，５Ｃ，５Ｄに漸次示すように、患者は、屈筋と伸筋の双方の全体的な活動を、収縮のしきい値以下に低下させることを学ぶ。その後、図５Ｅ，５Ｆ，５Ｇに示すように、患者は、屈筋を緩めた状態を維持しながら、伸筋の活動を増加させるよう教えられる。例えば、これは、患者が伸筋を収縮させよとする場合に運動感覚のフィードバックを増加させて、伸筋にＮＭＥＳを適用することにより為される。
【００８３】
要約のために、本発明のいくつかの実施形態において使用可能なリハビリテーション方法のいくつかを以下に記載した。
1) 健康な腕におけるＥＭＧを記録し、リアルタイムであるかどうかにかかわらず、麻痺した腕に同じパターンのＮＭＥＳを適用する。
2) 麻痺した腕におけるＥＭＧで測定されるとおりに、麻痺した腕における神経刺激を補完するようにＮＭＥＳの強度を調整する。
3) ＥＭＧが弱い場所である麻痺した腕の部分にＮＭＥＳの狙いを定める。
4) 麻痺した腕の反応時間の低下に合わせてＮＭＥＳを減速させる。
5) 健康な腕におけるＥＭＧに基づいてＮＭＥＳを適用しながら、患者に両腕を同時に鏡像で動かしてもらう。
6) 健康な腕におけるＥＭＧに基づいて（ただし修正して）ＮＭＥＳを適用しながら、患者に両腕を同時に鏡像でなく、及び／又は１８０度の位相差の循環動作で動かしてもらう。
7) 健康な腕による動作の多くの繰返しの間の平均ＥＭＧに基づいてＮＭＥＳの基礎を形成する。
8) 麻痺した腕の位置を検知し、ＮＭＥＳに対して負のフィードバックを用いる、すなわち、選択的に、腕の動作不能と意図的な休止とを区別するために麻痺した腕のＥＭＧを用いる。
9) ＥＭＧ信号を記録しながら、時間の関数として健康な腕の検出位置を記録し、その後、麻痺した腕が対応した位置にあるとき、対応するＮＭＥＳを麻痺した腕に適用する。
10) ロボットアームを用いて所望のパターンで健康な腕を動作させ、健康な腕において受動的に生成され結果として生じるＥＭＧ信号を検知し、そして、対応する動作を実現するために、麻痺した腕に適用されるＮＭＥＳの基礎としてそれらを用いる。
11) ロボットアーム及び／又はＮＭＥＳを用いて麻痺した腕を動作させ又は動作を支援し、麻痺した腕を健康な腕の測定された位置にマッチングさせる。
12) ロボットアームを用いて動作に対する麻痺した腕の抵抗力を測定し、それによって、動作に対する麻痺した腕の障害が筋肉の収縮の障害によるものであるか、筋肉の拮抗対間の区別の障害であるのかを決定し、場合によっては、それに応じてＮＭＥＳを調整する。
13) 麻痺した腕の動作を支援するために、ＮＭＥＳを用いて又は用いずにロボットアームを使用し、麻痺した腕の能力に合あわせてロボットアームを減速させる。
14) ＮＭＥＳを用いてまたは用いずに、麻痺した腕の筋肉に逆らって働くようにロボットアームを用い、場合によっては、力を麻痺した腕の能力に適合させる。
15) 麻痺した腕のＥＭＧを用い、患者に麻痺した腕のより良い制御の仕方を教え、場合によっては、筋肉の拮抗対間をより明確に区別することを含む。
【００８４】
本発明の典型的な実施形態では、ＮＭＥＳを適用する方法は、本出願人により出願された他の出願の教示と組み合わされる。
【００８５】
2004年12月7日に出願され、また、本出願と同日に同一出願人によりＰＣＴ出願として出願され、「Methods and Apparatuses for Rehabilitation Exercise and Training（リハビリテーション運動およびトレーニングのための方法および装置）」と題され、代理人整理番号414/04388を有し、その開示が参照により本明細書に組み込まれる、米国仮出願No.60/633,442は、平衡性のリハビリテーションを記載している。本発明の典型的な実施形態では、ＮＭＥＳは、患者が体の両側を調整する支援をするため、或いは体の一部分が動作するとき（例えば足）に平衡性に関わる体の他の部分（例えば胴体）の筋肉を刺激するために使用される。
【００８６】
2004年4月29日に出願され、また、本出願と同日に同一出願人によりＰＣＴ出願として出願され、「Fine Motor Control Rehabilitation（微細運動制御リハビリテーション）」と題され、代理人整理番号414/04401を有し、その開示が参照により本明細書に組み込まれる、米国仮出願No.60/566,079は、微細な運動制御のリハビリテーションを記載している。本発明の典型的な実施形態では、ＮＭＥＳは、患者による総体的な及び微細な運動動作の調整を支援するために（例えば、大きな筋肉の測定、及び小さな筋肉の刺激、逆もまた同様）、或いは健康な腕から麻痺した腕への微細な運動制御を複製するために用いられる。
【００８７】
2004年12月7日に出願され、また、本出願と同日に同一出願人によりＰＣＴ出願として出願され、「Gait Rehabilitation Methods and Apparatuses（歩行リハビリテーションの方法および装置）」と題され、代理人整理番号414/04391を有し、その開示が参照により本明細書に組み込まれる、米国仮出願No.60/633,428は、歩行のリハビリテーションを記載している。本発明の典型的な実施形態では、ＮＭＥＳは、２つの足の動作及び／又はそれぞれの足の動作を調整するために使用され、例えば、（健康なまたは麻痺した）大腿部におけるＥＭＧ測定値を用いて、麻痺したふくらはぎにＮＭＥＳ信号を駆動する。
【００８８】
2004年2月5日に出願され、また、本出願と同日に同一出願人によりＰＣＴ出願として出願され、「Methods and Apparatus for Rehabilitation and Training（リハビリテーションおよびトレーニングのための方法および装置）」と題され、その開示が参照により本明細書に組み込まれる、米国仮出願No.60/542,022は、様々な形式のリハビリテーション装置を記載している。本発明の典型的な実施形態では、そのような装置において、ＮＭＥＳ刺激及び／又はＥＭＧ測定が提供される。
【００８９】
2004年8月25日に出願され、その開示が参照により本明細書に組み込まれる、米国仮出願No.60/604,615は、脳の可塑性を測定する及び／又はさもなければ考慮しながらのリハビリテーションを記載している。本発明の典型的な実施形態では、麻痺した手足への神経信号の生成に関与する脳中心の活動を調整する方法において、及び／又は麻痺した手足からの信号を受信するために、ＮＭＥＳ刺激が提供される。例えば、ＥＥＧやｆＭＲＩの手法を用いて、そのような脳の領域を検知することができる。
【００９０】
本明細書に用いられているように、腕または他の体の部分の「位置（position）」は、その腕または体の部分の特定部位の空間的な位置だけを含むのではなく、例えば、どのくらい肘が曲げられているか、どのくらい前腕がねじれているか、どのくらい手首が曲がっているか等、その空間状態を明確にするために必要とされる他の情報をも含む。いくつかの実施形態においては、その部分の速度及び／又はその方向が制御される。
【００９１】
本発明は、それを実施するための最良の形態に照らして記載されている。当然のことながら、図に示されている又は関連した本文中に記載されている全ての特徴が、本発明のいくつかの実施形態に従って、実際の装置に表れているわけではない。さらに、開示された方法および装置の変形は本発明の範囲内に含まれ、それは請求の範囲によってのみ限定される。また、１つの実施形態の特徴を本発明の他の実施形態の特徴と組み合わせて提供することができる。本文中で使用されているように、用語「含む（have）」、「含む（include）」及び「含む（comprise）」、或いはそれらの活用形は「含むがそれに限定されるものではない（including but not limited to）」ことを意味するものである。
【図面の簡単な説明】
【００９２】
【図１】図１は、ＥＭＧ電極を備えた健康な腕、ＥＭＧユニット、信号処理ユニット、ＮＭＥＳユニット、およびＮＭＥＳとＥＭＧ電極を備えた麻痺した腕の概略図である。
【図２】図２は、本発明の典型的な実施形態による、未加工のＥＭＧ信号、整流信号、平滑化rms（二乗平均平方根）信号を示す。
【図３】図３は、本発明の典型的な実施形態による、ロボットアームに取り付けられた腕の概略図である。
【図４】図４は、図１と比較した本発明の他の典型的な実施形態による、ＮＭＥＳ電極とＥＭＧ電極を備えた麻痺した腕、脳からの神経信号、および信号処理ユニットの概略図である。
【図５Ａ】図５Ａから図５Ｇは、本発明の典型的な実施形態による、リハビリテーション中の異なる時点における、屈筋と伸筋からのＥＭＧ信号の時系列のプロットである。
【図５Ｂ】図５Ａから図５Ｇは、本発明の典型的な実施形態による、リハビリテーション中の異なる時点における、屈筋と伸筋からのＥＭＧ信号の時系列のプロットである。
【図５Ｃ】図５Ａから図５Ｇは、本発明の典型的な実施形態による、リハビリテーション中の異なる時点における、屈筋と伸筋からのＥＭＧ信号の時系列のプロットである。
【図５Ｄ】図５Ａから図５Ｇは、本発明の典型的な実施形態による、リハビリテーション中の異なる時点における、屈筋と伸筋からのＥＭＧ信号の時系列のプロットである。
【図５Ｅ】図５Ａから図５Ｇは、本発明の典型的な実施形態による、リハビリテーション中の異なる時点における、屈筋と伸筋からのＥＭＧ信号の時系列のプロットである。
【図５Ｆ】図５Ａから図５Ｇは、本発明の典型的な実施形態による、リハビリテーション中の異なる時点における、屈筋と伸筋からのＥＭＧ信号の時系列のプロットである。
【図５Ｇ】図５Ａから図５Ｇは、本発明の典型的な実施形態による、リハビリテーション中の異なる時点における、屈筋と伸筋からのＥＭＧ信号の時系列のプロットである。
【図１】
2007520308.tif 000003
【図２】
2007520308.tif 000004
【図３】
2007520308.tif 000005
【図４】
2007520308.tif 000006
【図５Ａ】
2007520308.tif 000007
【図５Ｂ】
2007520308.tif 000008
【図５Ｃ】
2007520308.tif 000009
【図５Ｄ】
2007520308.tif 000010
【図５Ｅ】
2007520308.tif 000011
【図５Ｆ】
2007520308.tif 000012
【図５Ｇ】
2007520308.tif 000013
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
麻痺した体の部位を有する患者にリハビリを施すための装置であって、
a）麻痺した体の部位と同種の健康な体の部位の随意筋に適用されるように適合され、少なくとも１つのセンサが少なくとも１つのＥＭＧ信号を生成する、少なくとも１つの筋電図検査法（ＥＭＧ）センサと、
b）麻痺した体の部位の少なくとも１つの随意筋を刺激するために適合された神経筋電気刺激（ＮＭＥＳ）装置と、
c）ＮＭＥＳ装置を制御するコントローラとを含み、前記コントローラが、
(i)麻痺した体の部位の所望の動作を記憶し、
(ii)前記所望の動作を生じさせるには不十分なＮＭＥＳ強度を記憶し、および、
(iii)前記ＮＭＥＳの刺激がそれ自体で前記所望の動作で前記麻痺した体の部位を動作させるのに十分でないように健康な体の部位からのＥＭＧ信号およびそのような記憶に少なくとも部分的に基づいて、麻痺した体の部位の刺激の強度を決定するように構成されている、装置。
【請求項２】
健康な体の部位の少なくとも１つの筋肉が、麻痺した体の部位の少なくとも１つの筋肉に対応する、請求項１に記載の装置。
【請求項３】
前記コントローラが、前記ＥＭＧ信号を処理して、前記ＮＭＥＳ信号の少なくとも１つの性質を決定するように構成されている、請求項１に記載の装置。
【請求項４】
コントローラは、ＮＭＥＳにより麻痺した体の部位を刺激させ、ＥＭＧ信号の感知時に健康な体の部位が生成する動作に対応する動作を作り出すように構成されている、請求項２に記載の装置。
【請求項５】
コントローラは、健康な体の部位の対応する筋肉からのＥＭＧ信号が健康な体の部位の動作中における対応する時間において増加するとき、麻痺した体の部位の少なくとも１つの筋肉の少なくとも１つの刺激の強度を増加させるように構成されている、請求項４に記載の装置。
【請求項６】
麻痺した体の部位の少なくとも一つの筋肉が筋肉の拮抗対を含み、コントローラは、筋肉の拮抗対の一方の筋肉に対応する健康な体の部位における筋肉からのＥＭＧ信号が健康な体の部位の動作中における対応する時間において増加するとき、筋肉の拮抗対のうちの他方の筋肉の刺激の強度を減少させるように構成されている、請求項４または請求項５に記載の装置。
【請求項７】
コントローラとＮＭＥＳ装置のうち１つ又は双方は、自身で麻痺した体の部位を動かすことができない少なくとも何人かの患者に対しては、患者の脳からの神経刺激がない場合には刺激された筋肉を収縮させるのに不十分であり、しかし患者の脳からの神経刺激がある場合にはその筋肉を収縮させるのに十分である刺激強度を記憶するように構成されている前請求項のいずれかに記載の装置。
【請求項８】
少なくとも１つのＥＭＧセンサは、複数のＥＭＧセンサを含んでおり、各ＥＭＧセンサは健康な体の部位の異なる筋肉または筋肉の部分に適用されるために適合されている、前請求項のいずれかに記載の装置。
【請求項９】
各ＥＭＧセンサは別々のＥＭＧ信号を生成する、請求項８に記載の装置。
【請求項１０】
ＮＭＥＳ装置が、麻痺した体の部位の複数の筋肉または筋肉の部分に独立して刺激を与えるよう適合されている、請求項９に記載の装置。
【請求項１１】
前記麻痺した体の部位の複数の筋肉または筋肉の部分が、複数のＥＭＧセンサを適合させて適用する健康な体の部位の筋肉または筋肉の部分に対応する、請求項１０に記載の装置。
【請求項１２】
コントローラは、前記麻痺した体の部位の複数の筋肉または筋肉の部分のＮＭＥＳ刺激の強度が、複数のＥＭＧセンサからのＥＭＧ信号に少なくとも部分的に依存するように構成されている、請求項１１に記載の装置。
【請求項１３】
コントローラは、前記複数の筋肉または筋肉の部分の各々のＮＭＥＳ刺激の強度が、対応する筋肉または筋肉の部分からのＥＭＧ信号に少なくとも部分的に依存するように構成されている、請求項１２に記載の装置。
【請求項１４】
麻痺した体の部位が対となっている体の部位である、前請求項のいずれかに記載の装置。
【請求項１５】
麻痺した体の部位が腕である、請求項１４に記載の装置。
【請求項１６】
麻痺した体の部位が足である、請求項１４に記載の装置。
【請求項１７】
健康な体の部位が患者に属している、請求項１４から１６のいずれかに記載の装置。
【請求項１８】
健康な体の部位が違う人間に属している、請求項１４から１６のいずれかに記載の装置。
【請求項１９】
コントローラが、ＥＭＧ信号の処理後の形状に少なくとも部分的に依存する刺激強度を生成する、前請求項のいずれかに記載の装置。
【請求項２０】
ＥＭＧ信号の処理後の形状は、 ＥＭＧ信号のタイミングに合わせて引き延ばされる、請求項１９に記載の装置。
【請求項２１】
ＥＭＧ信号の処理後の形状が、ＥＭＧ信号の発生時に健康な体の部位が経験していた動作の鏡像となる健康な体の部位の動作により生成されるであろうＥＭＧ信号に対応する、請求項１９または請求項２０に記載の装置。
【請求項２２】
ＥＭＧ信号の処理後の形状が、ＥＭＧ信号からの時間遅延である、請求項１９から２１のいずれかに記載の装置。
【請求項２３】
健康な体の部位の位置をモニタする第１の位置検知装置をさらに含む、前請求項のいずれかに記載の装置。
【請求項２４】
健康な体の部位の位置を機械的に変化させる第１のアクチュエータをさらに含む、請求項２３に記載の装置。
【請求項２５】
麻痺した体の部位の位置をモニタする第２の位置検知装置をさらに含む、前請求項のいずれかに記載の装置。
【請求項２６】
前記コントローラの制御に基づいておよび前記所望の動作に従って、麻痺した体の部位の位置を機械的に変化させる麻痺アクチュエータを含む、請求項１から２５のいずれかに記載の装置。
【請求項２７】
前記第１のアクチュエータは、完全な支援、部分的な支援、非支援からなるグループから選択される様々なレベルで、前記健康な体の部位の位置を機械的に変化させる、請求項２４に記載の装置。
【請求項２８】
前記第１のアクチュエータは、前記健康な体の部位の動作範囲を制限することによって前記健康な体の部位の位置を機械的に変化させる、請求項２４に記載の装置。
【請求項２９】
前記第２のアクチュエータは、完全な支援、部分的な支援、非支援からなるグループから選択される様々なレベルで、前記麻痺した体の部位の位置を機械的に変化させる、請求項２６に記載の装置。
【請求項３０】
前記第２のアクチュエータは、前記麻痺した体の部位の動作範囲を制限することによって、前記麻痺した体の部位の位置を機械的に変化させる、請求項２６に記載の装置。
【請求項３１】
コントローラと神経筋電気刺激（ＮＭＥＳ）装置とを有し、コントローラは、(i)患者の部類、(ii)麻痺した体の部位の所望の動作を記憶し、前記ＮＭＥＳ刺激はそれ自体で前記所望の動作を生じさせるのに十分ではないが、同時に前記部類の患者がその体の部位を動作させようと試みるときに前記所望の動作を生じさせるのに十分であるように前記記憶に少なくとも部分的に基づいて麻痺した体の部位の刺激の強度を決定するよう適合されており、ＮＭＥＳ装置は、決定された強度の刺激を提供するよう適合されている、装置。
【請求項３２】
麻痺した体の部位の随意筋に適用するために適合される少なくとも１つの麻痺ＥＭＧセンサをさらに含み、少なくとも１つの麻痺ＥＭＧセンサは少なくとも１つの麻痺ＥＭＧ信号を生成する、前請求項のいずれかに記載の装置。
【請求項３３】
コントローラは、少なくとも１つの麻痺ＥＭＧ信号に少なくとも部分的に依存する麻痺した体の部位の刺激の強度を生成する、請求項３２に記載の装置。
【請求項３４】
麻痺した体の部位に適用するために適合された少なくとも１つの麻痺ＥＭＧセンサは、それぞれが麻痺した体の部位の異なる筋肉または筋肉の部分に適用されるように適合された、およびそれぞれが別々の麻痺ＥＭＧ信号を生成する、複数の麻痺ＥＭＧセンサを含む、請求項３３に記載の装置。
【請求項３５】
ＮＭＥＳ装置は、麻痺ＥＭＧ信号センサが適用されるよう適合された麻痺した体の筋肉または筋肉の部分を刺激するために適合されており、コントローラは、それぞれの筋肉または筋肉の部分の刺激の強度をその筋肉または筋肉の部分からの麻痺ＥＭＧ信号に少なくとも部分的に依存させるよう構成されている、請求項３４に記載の装置。
【請求項３６】
麻痺した体の部位を有する患者にリハビリを施す方法であって、
a）患者または他の人間に、麻痺した体の部位と同種の健康な体の部位を動かしてもらい、
b）動かしている間、その健康な体の部位からＥＭＧ信号を検出し、
c）ＮＭＥＳ信号の少なくとも１つの性質を決定するために前記ＥＭＧ信号を処理し、
d）前記処理に応じて、麻痺した体の部位にＮＭＥＳ信号を適用し、および、
e）前記ＮＭＥＳ刺激によって最大限でも部分的に前記麻痺した体の部位を動かすことを含む方法。
【請求項３７】
前記ＮＭＥＳは、前記ＥＭＧ信号に従ったタイミングで適用される、請求項３６に記載の方法。
【請求項３８】
前記ＮＭＥＳは、前記ＥＭＧ信号に従った強度で適用される、請求項３６に記載の方法。
【請求項３９】
また、ＥＭＧ信号を検出中に健康な体の部位を動作させるのと同じ動作パターンで、ＮＭＥＳを適用しながら、患者に麻痺した体の部位を動かすよう試みさせることを含む、請求項３６に記載の方法。
【請求項４０】
ＥＭＧ信号を検出することは、健康な体の部位の複数の筋肉または筋肉の部位からＥＭＧ信号を検出することを含み、ＮＭＥＳを適用することは、健康な体の部位の複数の筋肉または筋肉の部分に対応する麻痺した体の部分の複数の筋肉または筋肉の部分にＮＭＥＳを適用することを含む、請求項３９に記載の方法。
【請求項４１】
麻痺した体の部位の試みられている動作パターンの時間間隔中に麻痺した体の部位のそれぞれの筋肉または筋肉の部分に適用されるＮＭＥＳの強度は、健康な体の部位の動作パターンにおける対応する時間間隔中に、健康な体の部位の対応する筋肉または筋肉の部分から検出されるＥＭＧ信号に少なくとも部分的に依存する、請求項４０に記載の方法。
【請求項４２】
麻痺した体の部位は、アクチュエータの動作によって機械的に提供される、請求項３６から４１のいずれかに記載の方法。
【請求項４３】
前記アクチュエータは、前記検出されたＥＭＧと同期する、請求項４２に記載の方法。
【請求項４４】
前記アクチュエータは、前記適用されるＮＭＥＳと同期する、請求項４２に記載の方法。
【請求項４５】
麻痺した体の部位は、アクチュエータの動作によって機械的に支援される、請求項３６から４４のいずれかに記載の方法。
【請求項４６】
麻痺した体の部位の動作が、アクチュエータによって制限される、請求項３６から４５のいずれかに記載の方法。
【請求項４７】
前記所望の動作が腕におけるものである、請求項１から３５のいずれかに記載の装置。
【請求項４８】
前記麻痺した体の部位が腕である、請求項３６から４５に記載の方法。